(57)【要約】【課題】フィルタを回転体の回転領域の面積よりも広い面積を有する大きさに形成することができるとともに、フィルタを水槽内の水に浸漬する必要がなく、フィルタの大きさに対する加湿能力を大きくすることができ、また、フィルタの表面にスケールが析出することがあっても長期間に亘って加湿能力が得られる加湿装置を提供する。【解決手段】水槽２及び送風機と、該送風機が発生する風の通風路に配され、水槽２内の水により加湿されるフィルタ６と、該フィルタ６の前記通風路における通風方向一側に回転を可能に配され、且つフィルタ６よりも下側で水槽２内の水を吸排水口７２から導入して貯水し、フィルタ６の上部で吸排水口７２から該フィルタ６の側面へ排水する貯排水部７１を有する回転体７とを備え、フィルタ６に対し回転体７を回転させてフィルタ６に水を浸透させるようにした。【選択図】図１
2009052763.tif 000002
【特許請求の範囲】
【請求項１】
水槽及び送風機と、該送風機が発生する風の通風路に配され、前記水槽内の水により加湿されるフィルタとを備える加湿装置において、前記フィルタの前記通風路における通風方向一側に回転を可能に配され、且つ前記フィルタよりも下側で前記水槽内の水を導入して貯水し、前記フィルタの上部側面へ排水する貯排水部を有する回転体を備えることを特徴とする加湿装置。
【請求項２】
前記回転体の外周面の周方向一箇所と対向する位置に配され、前記外周面と接触して前記回転体を駆動する駆動輪を有する駆動手段を備える請求項１記載の加湿装置。
【請求項３】
前記フィルタは、上下に重ねて配されている複数のフィルタ本体と、該フィルタ本体夫々の間に配されている吸湿シートとを有する請求項１又は２記載の加湿装置。
【請求項４】
前記貯排水部は、複数の給排水口を有する請求項１から３のいずれか一つに記載の加湿装置。
【請求項５】
前記貯排水部は、前記回転体の回転方向へ離隔して配される複数を有し、該貯排水部夫々の前記回転方向の前側で、且つ前記回転方向の後端からの距離が夫々異なる位置に給排水口を配してある請求項１から３のいずれか一つに記載の加湿装置。
【発明の詳細な説明】
【技術分野】
【０００１】
本発明は、送風機が発生する風の通風路に配され、水槽内の水により加湿されるフィルタを備える加湿装置に関する。
【背景技術】
【０００２】
加湿装置は、吸気口及び排気口を有する筺体内の底部に配置される水槽と、該水槽よりも上側に配される送風機と、該送風機が発生する風の通風路に配され、その下部が水槽内の水に浸漬されるフィルタとを備え、該フィルタの毛細管現象によってフィルタの浸漬部から非浸漬部に水分を浸透させ、フィルタを湿った状態に保つように構成されている（例えば、特許文献１参照）。
【特許文献１】特開平１１−１６６４１３号公報
【発明の開示】
【発明が解決しようとする課題】
【０００３】
ところで、特許文献１のようにフィルタの毛細管現象により加湿される加湿装置にあっては、フィルタの浸漬部分は加湿能力に寄与しないため、フィルタの大きさに対する加湿能力が小さく、改善策が要望されていた。
【０００４】
また、加湿装置は水道水が水槽に貯留され、該水道水がフィルタを湿った状態に保つことになる。しかし、水道水は珪素、カルシウム、マグネシウム等の微量の化合物を含有するため、湿った状態のフィルタが通風路の空気により乾燥する過程で該フィルタの表面に前記化合物がスケールとなって析出し、このスケールの析出に伴い、フィルタの毛細管現象による吸上機能が著しく低下することになり、フィルタの加湿能力が低下する。
【０００５】
本発明は斯かる事情に鑑みてなされたものであり、主たる目的はフィルタよりも下側で水槽内の水を導入して貯水し、該フィルタの上部側面へ排水する貯排水部を有する回転体を前記フィルタの前記通風路における通風方向一側に回転を可能に配することにより、フィルタを回転体の回転領域の面積よりも広い面積を有する大きさに形成することができるとともに、フィルタを水槽内の水に浸漬する必要がなく、フィルタの大きさに対する加湿能力を大きくすることができ、また、フィルタの表面にスケールが析出することがあっても長期間に亘って加湿能力が得られる加湿装置を提供することにある。
【課題を解決するための手段】
【０００６】
本発明に係る加湿装置は、水槽及び送風機と、該送風機が発生する風の通風路に配され、前記水槽内の水により加湿されるフィルタとを備える加湿装置において、前記フィルタの前記通風路における通風方向一側に回転を可能に配され、且つ前記フィルタよりも下側で前記水槽内の水を導入して貯水し、前記フィルタの上部側面へ排水する貯排水部を有する回転体を備えることを特徴とする。
この発明にあっては、フィルタの通風路における通風方向一側に配されている回転体の貯排水部がフィルタよりも下側で水槽内の水を導入し、該貯排水部内の水をフィルタの上部側面へ排水するため、フィルタを回転体の回転領域の面積よりも広い面積を有する大きさに形成することができ、また、フィルタの全体で水を気化させることができ、フィルタの加湿能力を大きく設定することができる。また、フィルタは水槽内の水に浸漬しない位置に配することができるため、フィルタの表面にスケールが析出することがあっても長期間に亘って加湿能力が得られる。
【０００７】
また、本発明に係る加湿装置は、前記回転体の外周面の周方向一箇所と対向する位置に配され、前記外周面と接触して前記回転体を駆動する駆動輪を有する駆動手段を備える構成とするのが好ましい。
この発明にあっては、回転体の径方向外方に駆動輪が配されているため、通風路の風がフィルタを通過する方向の長さを比較的短くすることができ、小形化を図ることができる。
【０００８】
また、本発明に係る加湿装置は、前記フィルタは上下に重ねて配されている複数のフィルタ本体と、該フィルタ本体夫々の間に配されている吸湿シートとを有する構成とするのが好ましい。
この発明にあっては、貯排水部からフィルタの上部にかけられた水がフィルタの上部から下方側へ浸透する際、フィルタの上下方向中間でフィルタ本体夫々の間に配されている吸湿シートに吸水され、該吸湿シートに沿って横方向へ導水することができるため、フィルタ全体への水の浸透時間を短縮することができる。
【０００９】
また、本発明に係る加湿装置は、前記貯排水部は複数の給排水口を有する構成とするのが好ましい。
この発明にあっては、貯排水部からフィルタの上部に水がかけられる際、フィルタへの散水効率を高めることができ、フィルタ全体への水の浸透時間を短縮することができる。
【００１０】
また、本発明に係る加湿装置は、前記貯排水部は前記回転体の回転方向へ離隔して配される複数を有し、該貯排水部夫々の前記回転方向の前側で、且つ前記回転方向の後端からの距離が夫々異なる位置に給排水口を配してある構成とするのが好ましい。
この発明にあっては、複数の貯排水部からフィルタの上部に水がかけられる際、複数の貯排水部から同時的に散水することができ、フィルタへの散水効率を高めることができ、フィルタ全体への水の浸透時間を短縮することができる。
【発明の効果】
【００１１】
本発明によれば、フィルタの通風路における通風方向一側に配されている回転体の貯排水部がフィルタよりも下側で水槽内の水を導入し、該貯排水部内の水をフィルタの上部側面へ排水するため、フィルタを回転体の回転領域の面積よりも広い面積を有する大きさに形成することができ、しかも、フィルタを水槽内の水に浸漬することなく、フィルタの全体で水を気化させることができるため、フィルタの大きさに対する加湿能力を大きくすることができる。また、フィルタは水槽内の水に浸漬しない位置に配することができるため、フィルタの表面にスケールが析出することがあっても長期間に亘って加湿能力が得られる。
【発明を実施するための最良の形態】
【００１２】
以下本発明をその実施の形態を示す図面に基づいて詳述する。図１は本発明に係る加湿装置の構成を示す縦断側面図、図２は加湿装置の構成を示す縦断背面図である。
図１に示した加湿装置は、吸気口１１及び排気口１２を有する筺体１と、該筺体１内の底部に配されている水槽２と、筺体１内の他側に配されている送風機３と、吸気口１１の内側に配され、送風機３が吸気口１１から吸気する空気中の異物を除去する集塵フィルタ４及び臭気を除去する脱臭フィルタ５と、集塵フィルタ４及び送風機３の間で、水槽２の上側に配されている加湿用のフィルタ６と、該フィルタ６の通風路における通風方向一側に回転を可能に配され、フィルタ６よりも下側で水槽２内の水を吸排水口７２から導入して貯水し、フィルタ６の上部で吸排水口７２から該フィルタ６の側面へ排水する貯排水部７１を有する回転体７と、水槽２へ給水する給水容器８とを備える。
【００１３】
筺体１は平面視矩形をなす底壁１ａと、該底壁１ａの四辺に連なる四つの側壁１ｂと、該側壁１ｂの上端に連なる天壁１ｃとを有する略直方体をなし、一方の側壁１ｂに長方形をなす吸気口１１が設けられ、天壁１ｃに長円形をなす排気口１２が設けられている。また、一方の側壁１ｂにおける吸気口１１の上側に中間壁１ｄが設けられている。
【００１４】
水槽２は、上側が開放されている皿形をなし、送風機３及び集塵フィルタ４の間に配されている。また、水槽２の中央側で、底面よりも上側には保持凹部２１を設けてあり、該保持凹部２１に、回転体７を支持するための脚体９が嵌合保持されており、また、水槽２の一側部には、給水容器８の給水部８ａに設けられている開閉弁を開動作させるための凸部２ａが設けられている。脚体９は略三角形をなし、回転体７の中心部に嵌合される枢軸９ａが上部に設けられている。
【００１５】
送風機３は、フィルタ６の通風路における通風方向他側に配され、吸込口３１ａ及び吹出口３１ｂを有する送風箱３１と、該送風箱３１内に回転軸３２ａが水平となるように配されているファン３２と、該ファン３２の回転軸３２ａを駆動する電動モータ３３とを有し、フィルタ６側の吸込口３１ａから送風箱３１内に吸込んだ空気を上側の吹出口３１ｂから排気口１２へ吹出すように構成されている。また、送風箱３１の吹出口３１ｂと排気口１２とに連通するダクト１０が設けられ、該ダクト１０に、集塵フィルタ４に向けて延出されている支持部材２０が取付けられている。
【００１６】
フィルタ６は不織布等の吸湿材からなり、直方体をなす二つのフィルタ本体６１，６１を上下に重ねてあり、フィルタ本体６１，６１間に、不織布等の吸湿材からなる吸湿シート６２を積層してある。吸湿シート６２は平面視でフィルタ本体６１，６１とほぼ同じ大きさの矩形に形成されている。
【００１７】
図３は回転体７部分の構成を示す拡大断面図である。回転体７は、水平に配される筒部７３から放射状に配されている複数のアーム７４と、該アーム７４の先端に結合されている環部７５と、該環部７５の複数の周方向位置に設けられている貯排水部７１とを有し、筒部７３が脚体９の枢軸９ａに回転を可能に嵌合されている。
【００１８】
貯排水部７１は環部７５を複数の周方向位置で区画することにより形成されており、内部が空洞になっている。貯排水部７１の回転方向前側で、フィルタ６側には吸排水口７２が設けられており、回転体７の回転で貯排水部７１がフィルタ６よりも下側へ至った際に水槽２内の水を吸排水口７２から貯排水部７１内へ導入して貯水し、回転体７の回転で貯排水部７１がフィルタ６の上部へ至った際に貯排水部７１内の水を吸排水口７２からフィルタ６の側面へ排水し、フィルタ６の一側面に水をかけるように構成されている。また、回転体７の回転方向に隣合う二つの貯排水部７１ａ，７１ｂの吸排水口７２ａ，７２ｂは、回転方向後端からの距離Ｈを異ならせ、貯排水部７１ａ，７１ｂ夫々の吸排水口７２ａ，７２ｂから同時的に排水することができるようになしてある。貯排水部７１ｂの前記距離Ｈが短い吸排水口７２ｂは、貯排水部７１ａの前記距離Ｈが長い吸排水口７２ａよりも回転中心側に配されている。
【００１９】
環部７５の外周面７５ａの周方向一箇所と対向する位置には、外周面７５ａと接触して回転体７を駆動する駆動輪３０を配してあり、該駆動輪３０に連動連結されている電動モータ４０が支持部材２０に取付けられている。
【００２０】
集塵フィルタ４及び脱臭フィルタ５は吸気口１１に対応して直方体に形成されている。また、給水容器８の給水部８ａは開閉弁を有するキャップになっている。
【００２１】
以上のように構成された加湿装置は、給水容器８内の水が水槽２に給水され、水槽２内が所定の水位となり、送風機３及び回転体７用の電動モータ４０が駆動される。加湿用のフィルタ６は前記水位よりも上側に配されており、回転体７は下側の貯排水部７１が水位よりも下側にあり、該下側の貯排水部７１が水中に浸漬され、下側の貯排水部７１の吸排水口７２から該貯排水部７１に貯水される。
【００２２】
電動モータ４０の駆動により、駆動輪３０を介して回転体７が回転し、該回転体７の環部７５に周方向に離隔して設けられている複数の貯排水部７１が順次水槽２の水中に浸漬され、浸漬された貯排水部７１の吸排水口７２から該貯排水部７１に貯水され、また、既に貯水されている貯排水部７１はフィルタ６の上側へ移行し、上側の貯排水部７１の吸排水口７２からフィルタ６の上部側面へ排水され、フィルタ６の上部に水が浸透する。上部に浸透した水はフィルタ６の下側へ浸透し、フィルタ本体６１，６１間の吸湿シート６２が吸湿する。吸湿シート６２が吸湿した水分は吸湿シート６２の全面に拡がりつつ該吸湿シート６２から下側のフィルタ本体６１に水分が浸透し、フィルタ６の全体へ浸透する。
【００２３】
また、送風機３の駆動により、外気（居住室内の空気）が吸気口１１から筺体１内へ吸気され、吸気口１１及び排気口１２間に風の通風路が発生し、外気中の臭気は脱臭フィルタ５により除去され、外気中の塵埃等の異物は集塵フィルタ４により除去される。また、脱臭フィルタ５及び集塵フィルタ４を通過した風は、回転体７のアーム７４間及び環部７５の外周りを経てフィルタ６を通過する。この際、フィルタ６に浸透している水が気化し、フィルタ６を通過する風が加湿され、加湿空気が送風機３を経て排気口１２から居住室内へ排気され、居住室内を加湿する。
【００２４】
以上のようにフィルタ６を水槽２の水位よりも上側に配置し、該フィルタ６の通風路における通風方向一側に回転体７を配置し、フィルタ６に対し回転体７を回転させて水槽２内の水をフィルタ６の上側で該フィルタ６の一側面にかけるため、フィルタ６を回転体７の回転領域の面積よりも広い面積を有する大きさに形成することができるとともに、フィルタ６の全体で水を気化させることができ、フィルタ６の加湿能力を大きく設定することができる。また、回転体７の回転方向に隣合う貯排水部７１ａ，７１ｂの吸排水口７２ａ，７２ｂは、回転方向後端からの距離Ｈが異なり、隣合う貯排水部７１ａ，７１ｂの吸排水口７２７２ａ，７２ｂから同時的に排水することができるため、フィルタ６への散水効率を高めることができ、フィルタ６全体への水の浸透時間を短縮することができる。また、フィルタ６は上下に積層されたフィルタ本体６１，６１間に吸湿シート６２を設けてあるため、上側のフィルタ本体６１にかけられた水が下方側へ浸透する際、吸湿シート６２に沿って横方向へ導水することができ、フィルタ６全体への水の浸透時間を短縮することができる。
【００２５】
また、回転体７を駆動する駆動輪３０を回転体７の外周りに設けてあるため、通風路の風がフィルタ６を通過する方向の長さを比較的短くすることができ、加湿装置全体の小形化を図ることができる。
【００２６】
尚、以上説明した実施例の形態では、脱臭フィルタ５及び集塵フィルタ４を有し、空気清浄機能を備える構成としたが、その他、本発明に係る加湿装置は脱臭フィルタ５及び集塵フィルタ４をなくした構成であってもよい。
【００２７】
また、以上説明した実施の形態では、回転体７の回転方向へ離隔して複数の貯排水部７１を有する構成としたが、その他、貯排水部７１は一つであってもよく、貯排水部７１の個数は特に制限されない。貯排水部７１の個数が比較的少ない場合、環部７５をなくし、一つ又は複数のアーム７４の先端に貯排水部７１を設けてあり、回転中心部を電動モータ等の駆動手段が駆動する構成としてもよい。
【００２８】
また、以上説明した実施の形態では、貯排水部７１に一つの吸排水口７２を設けたが、その他、吸排水口７２は複数であってもよい。この場合、吸排水口７２は回転体７の回転方向へ離隔して設け、排水量を小分けして少量ずつ排水するように構成するのが好ましい。
【図面の簡単な説明】
【００２９】
【図１】本発明に係る加湿装置の構成を示す縦断側面図である。
【図２】本発明に係る加湿装置の構成を示す縦断背面図である。
【図３】本発明に係る加湿装置の回転体部分の構成を示す拡大断面図である。
【符号の説明】
【００３０】
２    水槽
３    送風機
６    フィルタ
６１  フィルタ本体
６２  吸湿シート
７    回転体
７１  貯排水部
７２  給排水口
３０  駆動輪
４０  電動モータ（駆動手段）
【図１】
2009052763.tif 000003
【図２】
2009052763.tif 000004
【図３】
2009052763.tif 000005